(57)【要約】【課題】同軸ケーブル分配器や分岐器の汎用性を高くする。【解決手段】内部に空洞を有する筐体の表面に、中心コンタクト及び前記中心コンタクトと同心的に設けられた円筒状の外部コンタクトを備える同軸ケーブル接続端子（以下、接栓と称する）が３個以上取り付けられてなり、前記各接栓の前記外部コンタクト同士は前記筐体により電気的に接続され、前記中心コンタクト同士は前記筐体の前記空洞内で電気的に接続された同軸ケーブル分配器であって、前記接栓のうち、すくなくとも２つの接栓は、前記筐体表面からの突出方向と直交する方向を回転軸として、前記外部コンタクト同士及び前記中心コンタクト同士の電気的接続を保ちながら回転する同軸ケーブル分配器である。【選択図】        図１３
2004247228.tif 000002
【特許請求の範囲】
【請求項１】
内部に空洞を有する筐体の表面に、中心コンタクト及び前記中心コンタクトと同心的に設けられた円筒状の外部コンタクトを備える同軸ケーブル接続端子（以下、接栓と称する）が３個以上取り付けられてなり、前記各接栓の前記外部コンタクト同士は前記筐体により電気的に接続され、前記中心コンタクト同士は前記筐体の前記空洞内で電気的に接続された同軸ケーブル分配器であって、
前記接栓のうち、すくなくとも２つの接栓は、
前記筐体表面からの突出方向と直交する方向を回転軸として、前記外部コンタクト同士及び前記中心コンタクト同士の電気的接続を保ちながら回転することを特徴とする同軸ケーブル分配器。
【請求項２】
前記回転する接栓の外部コンタクトは、前記同軸ケーブルの外部導体、もしくは前記同軸ケーブルの先端に設けられたプラグの外部導体を接続する接続部と、底面が円状の突起及び前記中心コンタクトを前記外部コンタクトの外部に引き出す開口部が設けられた回転支点部とからなり、
前記筐体は、前記外部コンタクトの回転支点部に設けられた前記突起を支持する支持部が設けられていることを特徴とする請求項１に記載の同軸ケーブル分配器。
【発明の詳細な説明】
【０００１】
【発明の属する技術分野】
本発明は、１本の同軸ケーブルを伝送する信号を、複数の同軸ケーブルに分配する同軸ケーブル分配器または分岐器に適用して有効な技術に関するものである。
【０００２】
【従来の技術】
従来、壁面等に設けられたＴＶ端子のような同軸端子と、複数台のＴＶ受像機を同軸ケーブルで接続するときには、分配器あるいは分岐器と呼ばれる器具が用いられる。
【０００３】
前記分配器は、一般に、内部に空洞を有する筐体に、中心コンタクト及び前記中心コンタクトと同心的に設けられた円筒状の外部コンタクトを備える同軸ケーブル接続端子（以下、接栓と称する）が３個以上取り付けられている。このとき、前記筐体は金属製であり、前記各接栓の外部コンタクト同士は、前記筐体により電気的に接続されている。また、前記中心コンタクト同士は、前記筐体の空洞に設けられたプリント配線板等により電気的に接続されている。
【０００４】
前記分配器を用いるときには、例えば、前記接栓の１つと、壁面に設けられたＴＶ端子を同軸ケーブルで接続し、前記分配器に設けられた他の接栓とＴＶ受像機の入力端子を他の同軸ケーブルで接続する。このとき、前記分配器に設けられた接栓が３個であれば、１つは壁面のＴＶ端子と接続するので、残りの２つの接栓を２台のＴＶ受像機と接続することができる。
【０００５】
また、前記分岐器も、前記分配器と同様であり、一対の入力用接栓と出力用接栓に加え、数個の分岐（出力）用接栓が設けられている。
【０００６】
住宅の壁面等に設けられているＴＶ端子は、通常、一部屋に１個から数個であるので、各ＴＶ端子をそれぞれ、１台のＴＶ受像機の端子と接続すると、一部屋につき、壁面に設けられた数と同じ数のＴＶ受像機でのみＴＶ映像を見ることができない。逆に、一つの部屋に多数のＴＶ受像機を置く場合には、設置するＴＶ受像機の数に合わせて壁面のＴＶ端子の数を増やさなければならない。
【０００７】
また、壁面のＴＶ端子の位置とＴＶ受像機の設置場所が離れていると、同軸ケーブルの引き回しが煩雑になりやすい。
【０００８】
そこで、前記分配器あるいは分岐器を用いることで、多数のＴＶ受像機を設けることができる。また、前記分配器あるいは分岐器を用いることで、複数台のＴＶ受像機の入力端子を、近くにあるＴＶ端子と接続することができるので、同軸ケーブルの引き回しを簡素化することができる。
【０００９】
また、前記分配器や分岐器といった器具は、前記ＴＶ端子と複数台のＴＶ受像機を接続するときのように、室内で用いる場合の他に、例えば、屋外に敷設された同軸ケーブルを、建物内の複数の部屋に引き込むときにも用いられる。このとき、前記分配器や分岐器は、例えば、天井裏や壁の裏面などに取り付けられ、前記接栓の一つに、前記屋外から引き込んだ同軸ケーブルを接続し、残りの接栓に接続した同軸ケーブルを各部屋の壁まで引き回し、壁面に取り付けられたＴＶ端子と接続する。
【００１０】
【発明が解決しようとする課題】
しかしながら、前記従来の技術では、前記接栓は、前記外部コンタクトと前記筐体をネジ止めなどで固定している。すなわち、従来の分配器や分岐器は、接続した同軸ケーブルの引き出し方向が固定されているので、設置場所及び同軸ケーブルの引き出し方向に合った分配器あるいは分岐器を選択しなければならない。そのため、従来の分配器や分岐器は、設置場所の自由度、すなわち汎用性に乏しいという問題があった。
【００１１】
また、前記分配器や分岐器に同軸ケーブルを接続するときには、通常、前記分配器や分岐器を壁面、床面、天井などに取り付けた後に、前記同軸ケーブルを接続する。このとき、前記分配器に設けられた接栓が、前記壁面と平行に突出していると、前記接栓に前記同軸ケーブルを接続するときの作業性が悪いという問題があった。また、前記複数個の接栓が一列に並んでいる場合、前記接栓同士の間隔が狭いと、中央付近の接栓に同軸ケーブルを接続するときの作業性が悪いという問題があった。
【００１２】
また、従来の分配器あるいは分岐器は、前記接栓が前記筐体に固定されているので、接続した同軸ケーブルの引き出し方向が一定であり、引き回しのために極端な折り曲げが必要な場合がある。前記同軸ケーブルに極端な折り曲げをすると、特性インピーダンスの変化によるノイズが発生しやすくなる、あるいは中心導体や外部導体が断線しやすくなるという問題があった。
【００１３】
本発明の目的は、同軸ケーブル分配器や分岐器の汎用性を高くすることが可能な技術を提供することにある。
【００１４】
本発明の他の目的は、分配器や分岐器の接栓に同軸ケーブルを接続するときの作業性を向上させることが可能な技術を提供することにある。
【００１５】
本発明の他の目的は、分配器や分岐器に接続した同軸ケーブルの極端な屈曲によるノイズや、同軸ケーブルの断線を防ぐことが可能な技術を提供することにある。
【００１６】
本発明の前記ならびにその他の目的と新規な特徴は、本明細書の記述及び添付図面によって明らかになるであろう。
【００１７】
【課題を解決するための手段】
本願において開示される発明の概要を説明すれば、以下の通りである。
【００１８】
（１）内部に空洞を有する筐体の表面に、中心コンタクト及び前記中心コンタクトと同心的に設けられた円筒状の外部コンタクトを備える同軸ケーブル接続端子（以下、接栓と称する）が３個以上取り付けられてなり、前記各接栓の前記外部コンタクト同士は前記筐体により電気的に接続され、前記中心コンタクト同士は前記筐体の前記空洞内で電気的に接続された同軸ケーブル分配器であって、前記接栓のうち、すくなくとも２つの接栓は、前記筐体表面からの突出方向と直交する方向を回転軸として、前記外部コンタクト同士及び前記中心コンタクト同士の電気的接続を保ちながら回転する同軸ケーブル分配器である。
【００１９】
（２）前記（１）の手段において、前記回転する接栓の外部コンタクトは、前記同軸ケーブルの外部導体、もしくは前記同軸ケーブルの先端に設けられたプラグの外部導体を接続する接続部と、底面が円状の突起及び前記中心コンタクトを前記外部コンタクトの外部に引き出す開口部が設けられた回転支点部とからなり、前記筐体は、前記外部コンタクトの回転支点部に設けられた前記突起を支持する支持部が設けられている同軸ケーブル分配器である。
【００２０】
前記（１）の手段及び（２）の手段によれば、前記接栓が回転可能な範囲であれば、接続した同軸ケーブルの引き出し方向を自由に設定することができる。このとき、例えば、前記筐体の一つの面に設けられた２つの接栓の回転可能な範囲がそれぞれ１８０度であれば、各接栓に接続した同軸ケーブルは、同じ方向、垂直な方向、反対方向等へと引き出すことができる。そのため、従来の分配器に比べて、設置場所などの自由度（汎用性）が高くなる。
【００２１】
また、前記（１）の手段及び（２）の手段によれば、前記接栓が回転するので、前記同軸ケーブル分配器を壁面等に取り付けた後、例えば、前記接栓を前記壁面等に対して垂直な方向に向けた状態で同軸ケーブルを接続することができる。そのため、同軸ケーブルを接続するときの作業性が向上する。また、前記接栓が回転するので、例えば、複数個の接栓が列状に並んでいても、所望の接栓のみを別の方向に向けて同軸ケーブルを接続することができる。そのため、前記接栓同士の間隔が狭い場合でも、前記同軸ケーブルを接続するときの作業性がよい。
【００２２】
また、前記接栓を回転させて、同軸ケーブルの引き出し方向を変えることができるので、前記接栓に接続した同軸ケーブルの屈曲の度合いを小さくすることができる。そのため、同軸ケーブルの屈曲によるノイズの発生や、断線を防ぐことができる。
【００２３】
また、前記（１）の手段及び前記（２）の手段において、前記分配器の筐体の形状や、前記接栓の総数及び回転する接栓の数、ならびに前記回転する接栓の回転軸の方向及び回転可能な角度範囲は、種々選択することができる。
【００２４】
以下、本発明について、図面を参照して実施の形態（実施例）とともに詳細に説明する。
なお、実施例を説明するための全図において、同一機能を有するものは、同一符号を付け、その繰り返しの説明は省略する。
【００２５】
【発明の実施の形態】
（実施例１）
図１乃至図１２は、本発明による実施例１の同軸ケーブル分配器の概略構成を示す模式図であり、図１（ａ）は分配器の平面図、図１（ｂ）は図１（ａ）の正面図、図１（ｃ）は図１（ｂ）の左側面図、図２（ａ）は接栓の概略構成を示す正面図、図２（ｂ）は図２（ａ）の上面図、図２（ｃ）は接栓の内部構造を示す図で図２（ａ）のＡ−Ａ’線から見た図、図２（ｄ）は接栓の内部構造を示す模式図で図２（ｂ）のＢ−Ｂ’線から見た図、図３は分配器の内部構造を示す正面図、図４は分配器の内部構造を示す左側面図、図５は筐体の構成を示す正面図、図６は図５の下面図、図７（ａ）は第１接栓固定金具の構成を示す上面図、図７（ｂ）は図７（ａ）の正面図、図７（ｃ）は図７（ｂ）の右側面図、図８（ａ）及び図８（ｂ）ならびに図９（ａ）及び図９（ｂ）は第１接栓固定金具を用いた接栓の取り付け方法を説明する図、図１０（ａ）は第２接栓固定金具の構成を示す上面図、図１０（ｂ）は図１０（ａ）の正面図、図１０（ｃ）は図１０（ｂ）の右側面図、図１１（ａ）及び図１１（ｂ）ならびに図１２（ａ）及び図１２（ｂ）は第２接栓固定金具を用いた接栓の取り付け方法を説明する図である。
【００２６】
本実施例１の同軸ケーブル分配器は、図１（ａ）、図１（ｂ）、及び図１（ｃ）に示すように、金属製の筐体１の表面に、中心コンタクト及び前記中心コンタクトと同心的に設けられた円筒状の外部コンタクトを備える同軸ケーブル接続端子（以下、接栓と称する）２が５個取り付けられている。このとき、前記筐体１は、３個の接栓２が取り付けられた第１の表面１Ａと接する第２の表面１Ｂに階段状の段差１Ｃが設けられており、残りの２つの接栓は、前記段差１Ｃに取り付けられている。
【００２７】
また、前記接栓２の外部コンタクト２０１は、図２（ａ）、図２（ｂ）、図２（ｃ）、及び図２（ｄ）に示すように、同軸ケーブルの外部導体、あるいは同軸ケーブルに取り付けたプラグの外部導体を接続する接続部２０１Ａと、前記接栓２の回転の支点となる回転支点部２０１Ｂとからなる。このとき、前記回転支点部２０１Ｂには、底面が円状の突起２０１Ｃが設けられている。また、前記回転支点部２０１Ｂには、前記接続部２０１Ａの内部に設けられた中心コンタクト２０２Ａを前記外部コンタクト２０１の外部に引き出すための開口部が設けられている。本実施例１では、前記接栓２はメス型であり、前記中心コンタクト２０２Ａは、図２（ｃ）及び図２（ｄ）に示したように、バネ状の導体からなり、前記回転支点部２０１Ｂに設けた開口部からコンタクトピン２０２Ｂを挿入して前記中心コンタクト２０２Ａと接続する。またこのとき、前記中心コンタクト２０２Ａは、第１ブッシュ２０３Ａ及び第２ブッシュ２０３Ｂにより、前記接続部２０１Ａの中心軸付近に支持されている。また、前記コンタクトピン２０２Ｂの前記中心コンタクト２０２Ａと接続されている部分は、第１スペーサー２０４Ａ及び第２スペーサー２０４Ｂにより、前記各突起２０１Ｃの底面の中心を通る軸上に支持されている。
【００２８】
また、前記筐体１は、内部に空洞を有し、前記５つの接栓２は、図３及び図４に示すように、前記外部コンタクト２０１同士が前記筐体１により電気的に接続されている。このとき、前記外部コンタクト２０１と前記筐体１とは、前記外部コンタクト２０１の回転支点部２０１Ｂに設けられた突起２０１Ｃを支持するように接続させる。またこのとき、前記筐体１と前記突起２０１Ｃの接続部は、接栓固定金具３で固定する。
【００２９】
また、前記中心コンタクト２０２Ａ同士は、各接栓２に設けられたコンタクトピン２０２Ｂを、前記筐体１の空洞に設けられたプリント配線板４に接続することで電気的に接続している。このとき、前記筐体１は、一方向の面が開口しており、前記開口した面からプリント配線板４を挿入し、前記コンタクトピン２０２Ｂと前記プリント配線板４の導体パターンをはんだ付けした後、前記開口した面に裏蓋５をはめ込む。
【００３０】
またこのとき、前記筐体１は、図５及び図６に示すように、前記外部コンタクト２０１に設けられた突起２０１Ｃを支持する軸受け部１Ｄを設けておく。また、前記筐体１のうち、前記接栓２を取り付ける部分には、２方向あるいは３方向に開口した窓１Ｅを設けておく。
【００３１】
そして、前記軸受け部１Ｄで前記外部コンタクト２０１の突起２０１Ｃを受け、図３及び図４に示したように、接栓固定金具３を前記筐体１に取り付けることで、前記外部コンタクト２は、前記回転支点部の突起２０１Ｃを回転軸として回転させることができる。
【００３２】
前記接栓固定金具３のうち、前記筐体１の第１の表面１Ａに取り付ける接栓２を固定する金具（以下、第１接栓固定金具と称する）３Ａは、図７（ａ）、図７（ｂ）、及び図７（ｃ）に示すように、コの字形の金具の平行な二辺に、前記外部コンタクトの突起２０１Ｃを受ける軸受け部３０１Ａが設けられている。また、前記軸受け部３０１Ａが設けられた辺の先端には突起３０２Ａが設けられている。前記突起３０２Ａは、例えば、図５に示したように、筐体１に設けられた溝１Ｆに嵌め込む突起である。また、前記軸受け部３０１Ａが設けられた各辺を結ぶ部分には、前記筐体１と固定するためのネジ止め部３０３Ａが設けられている。
【００３３】
前記第１接栓固定金具３Ａを用いて前記接栓２を前記筐体１に取り付けるときには、図８（ａ）及び図８（ｂ）、ならびに図９（ａ）及び図９（ｂ）に示すように、前記接栓２の接続部２０１Ａを前記筐体１の窓１Ｅに通し、前記回転支点部の突起２０１Ｃを前記筐体１の軸受け部１Ｄで受ける。その後、前記第１接栓固定金具３Ａの突起３０２Ａを前記筐体１の溝１Ｆに嵌め込み、前記回転支点部の突起２０１Ｃを前記軸受け部３０１Ａで受け、前記ネジ止め部３０３Ａをネジ止めすることで、前記外部コンタクト２０１の突起２０１Ｃを支持して固定するとともに、前記突起２０１Ｃを回転軸として前記接栓２を回転させることができる。
【００３４】
また、前記筐体１の段差部１Ｃに取り付ける接栓２を支持、固定する接栓固定金具（以下、第２接栓固定金具としょうする）３Ｂは、図１０（ａ）、図１０（ｂ）、及び図１０（ｃ）に示すように、金属製のプレートの一表面に、前記外部コンタクトの突起２０１Ｃを受ける軸受け部３０１Ｂが設けられている。また、前記プレートの前記軸受け部３０１Ａの外側には、例えば、前記第２接栓固定金具３Ｂを前記筐体１を固定するためのネジ穴３０２Ｂと、前記接栓２から引き出したコンタクトピン２０２Ｂを通す穴３０３Ｂが設けられている。
【００３５】
前記第２接栓固定金具３Ｂを用いて前記接栓２を前記筐体１に取り付けるときには、図１１（ａ）及び図１１（ｂ）、ならびに図１２（ａ）及び図１２（ｂ）に示すように、前記接栓２の接続部２０１Ａを前記筐体１の窓１Ｅに通し、前記回転支点部の突起２０１Ｃを前記筐体１の軸受け部１Ｄで受ける。その後、前記第２接栓固定金具３Ｂを、前記接栓２のコンタクトピン２０２Ｂが前記穴３０３Ｂを通るように前記筐体１に嵌め込み、前記接栓２の回転支点部の突起２０１Ｃを前記軸受け部３０１Ｂで受け、前記ネジ止め部３０２Ｂをネジ止めすることで、前記外部コンタクト２０１の突起２０１Ｃを支持して固定するとともに、前記突起２０１Ｃを回転軸として前記接栓２を回転させることができる。
【００３６】
図１３乃至図１６は、本実施例１の同軸ケーブル分配器の作用効果を説明するための模式図であり、図１３（ａ）及び図１３（ｂ）は接栓の回転範囲を説明する図、図１４（ａ）は使用方法の一例を説明するための図、図１４（ｂ）は図１４（ａ）の上面図、図１５（ａ）、図１５（ｂ）、図１５（ｃ）、図１６（ａ）はそれぞれ、使用方法の他の例を説明するための図、図１６（ｂ）は図１６（ａ）の分配器の右側面図である。なお、図１４（ｂ）、図１５（ａ）、図１５（ｂ）、図１５（ｃ）、図１６（ｂ）の各図に示している矢印は、信号の伝搬方向を示す矢印であるとする。
【００３７】
本実施例１の同軸ケーブル分配器は、図２乃至図１２に沿って説明したように、前記接栓２の外部コンタクト２０１に設けた突起２０１Ｃを、前記筐体１の軸受け部１Ｄ及び接栓固定金具３に設けた軸受け部３０１Ａ，３０１Ｂで受けて支持、固定させる。またこのとき、前記筐体１のうち、前記段差１Ｃに設けた窓１Ｅは３方向に開口しており、前記第１の表面１Ａに設けた窓１Ｅは２方向に開口している。そのため、前記筐体１の段差１Ｃに取り付けた接栓２は、図１３（ａ）に示すように、前記突起２０１Ｃを回転軸として１８０度回転させることができる。また、前記筐体１の第１の表面１Ａに取り付けた接栓２は、図１３（ｂ）に示すように、前記突起２０１Ｃを回転軸として９０度回転させることができる。
【００３８】
本実施例１の同軸ケーブル分配器を壁面等に取り付けた後、前記接栓２に同軸ケーブルを接続したときには例えば、図１４（ａ）及び図１４（ｂ）に示すように、前記分配器を取り付けた面６と平行な方向に全ての前記同軸ケーブル７を引き出すことができる。このとき、前記各同軸ケーブル７の接続先は、適宜変更することができ、例えば、図１４（ｂ）に示すように、前記筐体１の第１の表面１Ａに設けられた３つの接栓のうちの真中の接栓を入力用とし、残りの４つを出力用とすることができる。
【００３９】
また、本実施例１の同軸ケーブル分配器では、図１４（ａ）及び図１４（ｂ）に示した方法の他に、例えば、図１５（ａ）に示すように、前記筐体１の段差１Ｃに設けた接栓の１つを、前記分配器を取り付けた面６と垂直な方向に向けることもできる。また、その他にも、例えば、図１５（ｂ）に示すように、前記筐体１の第１の表面１Ａに設けた接栓の１つを、前記分配器を取り付けた面６と垂直な方向に向けることもできる。またこのとき、前記各接栓２は、個々に回転させることができるので、図１４（ａ）及び図１４（ｂ）に示したように全ての接栓２を同じ向きにする場合でも、前記各接栓２に同軸ケーブル７を接続するときだけ、図１５（ａ）及び図１５（ｂ）に示したように、前記接栓２の向きを変えることで、同軸ケーブル７を接続するときの作業性が向上する。
【００４０】
またさらに、前記筐体１の段差１Ｃに設けた接栓２は、１８０度回転させることができるので、図１５（ｃ）に示したように、前記筐体１の第１の表面１Ａに設けた接栓に接続した同軸ケーブル７の引き出し方向とは反対の方向に、前記段差１Ｃに設けた接栓に接続した同軸ケーブル７の引き出すこともできる。
【００４１】
また、その他にも、例えば、図１６（ａ）及び図１６（ｂ）に示すように、前記分配器を設置した面６に対して垂直な面８が前記分配器の近傍にある場合には、前記接栓２に接続した同軸ケーブル７を前記分配器を設置した面６に対して垂直な方向に引き出すこともできる。
【００４２】
なお、本実施例１の同軸ケーブル分配器は、前記図１４乃至図１６に示したような例の他にも、前記各接栓２が回転可能な範囲であれば、前記各接栓２に接続した各同軸ケーブル７の引き出し方向を自由に設定することができることはいうまでもない。
【００４３】
例えば、前記接栓２は、前記外部コンタクト２０１同士及び前記中心コンタクト２０２Ａ同士の電気的な接続を保ちながら回転させることができる。そのため、前記各接栓２に接続した同軸ケーブル７は、前記分配器を設置した面６に対して平行あるいは垂直な方向だけでなく、例えば、４５度傾いた状態にすることも可能である。
【００４４】
以上説明したように、本実施例１の同軸ケーブル分配器によれば、前記筐体１に取り付けた前記接栓２を回転させることができるので、同軸ケーブルの引き出し方向の自由度が高くなる。そのため、従来の分配器に比べて汎用性が高くなる。
【００４５】
また、前記接栓２を回転させることができるので、壁面等の分配器を取り付ける面と前記接栓２の距離が近い場合や、複数個の接栓２が列状に並んでおり、かつ、接栓同士の間隔が狭い場合でも、前記接栓２に同軸ケーブルを接続するときの作業性がよい。
【００４６】
また、前記接栓２が回転するので、前記接栓２に接続した同軸ケーブルの屈曲を最小限にすることができる。そのため、同軸ケーブルの屈曲によるノイズの発生や、ケーブルの断線を防ぐことができる。
【００４７】
（実施例２）
図１７は、本発明による実施例２の同軸ケーブル分配器の概略構成を示す模式図であり、図１７（ａ）は分配器の平面図、図１７（ｂ）は図１７（ａ）の正面図である。
【００４８】
本実施例２の同軸ケーブル分配器は、図１７（ａ）及び図１７（ｂ）に示すように、内部に空洞を有する金属性の筐体１の表面に、同軸ケーブルを接続する端子（以下、接栓と称する）２が３個取り付けられている。前記各接栓２の構成は、前記実施例１で説明した接栓２と同じ構成であるので、詳細な説明は省略する。
【００４９】
また、本実施例２の同軸ケーブル分配器は、例えば、天井や床の隅（コーナー部）に取り付けて使用する分配器であり、前記筐体１は、図１７（ａ）に示したように、直角二等辺三角形の頂角部分を切断して平坦な面（以下、第３の面と称する）１Ｇを設けたような形状になっている。また、内部には空洞が設けられており、前記空洞には、前記各接栓の中心コンタクト（コンタクトピン）同士を電気的に接続するためのプリント配線板が設けられている。またこのとき、前記各接栓２は、例えば、前記実施例１で説明した前記第１接栓固定金具３Ａを用いて、前記筐体１に固定すればよいので、詳細な説明は省略する。またこのとき、本実施例２の同軸ケーブル分配器では、前記実施例１の場合と異なり、前記筐体１の前記接栓２を取り付ける部分に、３方向が開口した窓を設けておけば、図１７（ｂ）に示したように、前記各接栓２を、１８０度回転させることができる。
【００５０】
図１８乃至図２０は、本実施例２の同軸ケーブル分配器の使用方法の例を説明するための模式図であり、図１８（ａ）及び図１８（ｂ）は第１の使用例を説明するための図、図１９（ａ）及び図１９（ｂ）は第２の使用例を説明するための図、図２０（ａ）及び図２０（ｂ）は第３の使用例を説明するための図である。
【００５１】
本実施例２の同軸ケーブル分配器は、例えば、図１８（ａ）及び図１８（ｂ）に示したように、前記分配器を天井９の隅に取り付けた場合、前記天井９に貫通穴９Ａを設け、１つの接栓２を天井９の裏側に敷設した同軸ケーブル７と接続し、残りの２つの接栓に接続した同軸ケーブル７を室内のＴＶ受像機などの端子に接続することができる。このとき、前記室内側の同軸ケーブル７は、例えば、図１８（ａ）及び図１８（ｂ）に示したように、天井９と壁８Ａ，８Ｂのつなぎ目に沿うように這わせることができる。またこのとき、従来の分配器のように、前記接栓２が前記筐体１に固定されていると、前記接栓２に同軸ケーブル７を接続するときの作業性が悪い。一方、本実施例２の分配器の場合、前記接栓２を回転させることができるので、前記同軸ケーブル７を接続するときに、前記接栓２を前記天井９と垂直な方向、すなわち、前記天井９の法線方向を向けることができ、同軸ケーブル７を接続するときの作業性が向上する。
【００５２】
また、図示は省略するが、前記室内側の同軸ケーブル７が接続されている接栓２は、前記天井９の法線方向に向けることもできるので、前記室内側の同軸ケーブル７の一方、あるいは両方を壁８Ａと壁８Ｂのつなぎ目に沿って這わせたいときにも、前記同軸ケーブル７の屈曲を最小限にすることができる。
【００５３】
また、本実施例２の同軸ケーブル分配器を用いるときには、図１８（ａ）及び図１８（ｂ）に示したような使用方法に限らず、例えば、図１９（ａ）及び図１９（ｂ）、ならびに図２０（ａ）及び図２０（ｂ）に示したように、前記各接栓２に接続した同軸ケーブル７をそれぞれ、天井９と壁６Ａのつなぎ目、天井９と壁６Ｂのつなぎ目、壁６Ａと壁６Ｂのつなぎ目に沿って這わせてもよい。この場合も、前記接栓２を回転させることで、前記各接栓２に接続した同軸ケーブル７の屈曲を最小限にすることができる。
【００５４】
以上説明したように、本実施例２の同軸ケーブル分配器によれば、前記筐体１に取り付けた接栓２を回転させることができるので、前記接栓２に接続した同軸ケーブルの引き出し方向の自由度が高くなる。そのため、従来の分配器に比べて汎用性が高くなる。
【００５５】
また、前記接栓２を回転させることができるので、壁面等の分配器を取り付ける面と前記接栓２の距離が近い場合や、複数個の接栓２が列状に並んでおり、かつ、接栓同士の間隔が狭い場合でも、前記接栓２に同軸ケーブルを接続するときの作業性がよい。
【００５６】
また、前記接栓２が回転するので、接続した同軸ケーブルの屈曲を最小限にすることができる。そのため、同軸ケーブルの屈曲によるノイズの発生や、ケーブルの断線を防ぐことができる。
【００５７】
（実施例３）
図２１及び図２２は、本発明による実施例３の同軸ケーブル分配器の概略構成を示す模式図であり、図２１（ａ）は分配器の平面図、図２１（ｂ）は図２１（ａ）の正面図、図２１（ｃ）は図２１（ｂ）の左側面図、図２１（ｄ）は図２１（ｂ）の右側面図、図２２（ａ）は分配器の内部構成を示す図、図２２（ｂ）は接栓固定金具の構成を示す図である。
【００５８】
本実施例３の同軸ケーブル分配器は、図２１（ａ）、図２１（ｂ）、図２１（ｃ）、及び図２１（ｄ）に示すように、金属製の筐体１の表面に同軸ケーブルを接続する端子（以下、接栓と称する）２が４つ取り付けられている。前記接栓２のうち、前記筐体１の第１の表面１Ａに取り付けられた３つの接栓２は、前記実施例１で説明した接栓２と同じ構成であるので、詳細な説明は省略する。また、前記筐体１の第１の表面１Ａと接する第２の表面１Ｂに取り付けられた接栓２’は、従来の分配器に取り付けられている接栓と同じ構成であるので、詳細な説明は省略する。
【００５９】
また、前記筐体１は内部に空洞を有し、前記筐体１の第１の表面１Ａに設けられた各接栓２の外部コンタクト２０１同士は、図２２（ａ）に示すように、前記筐体１により電気的に接続されている。このとき、前記外部コンタクト２０１と前記筐体１とは、前記外部コンタクト１の回転支点部に設けられた突起２０１Ｃを支持するように接続させる。またこのとき、前記筐体１と前記突起２０１Ｃの接続部は、接栓固定金具３で固定する。前記接栓固定金具３は、例えば、図２２（ｂ）に示すように、金属性のプレートの一表面に、前記３つの接栓２に設けられた各突起２０１Ｃを受ける軸受け部３０１Ｃ及び各コンタクトピン２０２Ｂを通す開口部３０３Ｃが設けられている。このときの固定方法は、前記実施例１で説明した第２接栓固定金具３Ｂによる固定方法と同じであるため、詳細な説明は省略する。
【００６０】
また、前記筐体１の第１の表面１Ａに設けられた各接栓２の中心コンタクト２０２Ａ同士は、前記各接栓２に設けられたコンタクトピン２０２Ｂを、前記筐体１の空洞に設けられたプリント配線板４に接続することで電気的に接続している。このとき、前記筐体１は、一方向の面が開口しており、開口した面からプリント配線板４を挿入し、前記コンタクトピン２０２Ｂと前記プリント配線板４の導体パターンをはんだ付けした後、開口した面に裏蓋５をはめ込む。
【００６１】
図２３は、本実施例３の同軸ケーブル分配器の作用効果を説明するための模式図である。
【００６２】
本実施例３の同軸ケーブル分配器では、前記筐体１の第１の表面１Ａに設けた３つの接栓２をそれぞれ、図２３に示すように、１８０度の範囲で回転させることができる。そのため、前記接栓２に同軸ケーブルを接続したときに、すべてを同じ方向に引き出すこともできるし、１本あるいは２本を反対方向、もしくは垂直方向に引き出すこともできる。
【００６３】
また、前記筐体１の第１の表面１Ａに設けた３つの接栓２の間隔が狭い場合、従来のように前記筐体１に固定されていると、中央の接栓２に同軸ケーブルを接続するときの作業性が悪い。一方、本実施例３の同軸ケーブル分配器の場合、前記接栓２が回転するので、中央の接栓２を、両側の接栓２と異なる方向に向ければ、前記同軸ケーブルを接続しやすくなる。また、前記各接栓２に接続した同軸ケーブルを、前記同軸ケーブル分配器を取り付けた面と平行な方向に引き出すときにも、前記同軸ケーブルを接続するときだけ、前記接栓２を、前記分配器を取り付けた面と垂直な方向に向けることができ、前記同軸ケーブルを接続しやすくなる。
【００６４】
以上説明したように、本実施例３の同軸ケーブル分配器によれば、前記筐体１に取り付けた接栓２を回転させることができるので、同軸ケーブルの引き出し方向の自由度が高くなる。そのため、従来の分配器に比べて汎用性が高くなる。
【００６５】
また、前記接栓２を回転させることができるので、壁面等の分配器を取り付ける面と前記接栓２の距離が近い場合や、複数個の接栓２が列状に並んでおり、かつ、接栓同士の間隔が狭い場合でも、前記接栓２に同軸ケーブルを接続するときの作業性がよい。
【００６６】
また、前記接栓２が回転するので、前記接栓２に接続した同軸ケーブルの屈曲を最小限にすることができる。そのため、同軸ケーブルの屈曲によるノイズの発生や、ケーブルの断線を防ぐことができる。
【００６７】
図２４及び図２５は、前記実施例３の同軸ケーブル分配器の応用例を説明するための模式図であり、図２４（ａ）は分配器の例を示す正面図、図２４（ｂ）は図２４（ａ）の右側面図、図２５は使用例を示す図である。
【００６８】
前記実施例３では、図２１（ｂ）に示したように、回転する接栓２が設けられた面（第１の表面）１Ａと接する第２の表面１Ｂに他の接栓２’が設けられた分配器を例に挙げたが、これに限らず、図２４（ａ）及び図２４（ｂ）に示すように、前記第１の表面１Ａの裏面１Ｈに、他の接栓１０が設けられた分配器であってもよい。このとき、前記第１の表面の裏面１Ｈに設けた接栓１０は、例えば、オス型接栓にする。
【００６９】
前記実施例３で説明した同軸ケーブル分配器は、例えば、室内の壁面に設けられたＴＶ端子に接続した同軸ケーブルを、ＴＶ受像機の周辺などで分配するときに用いることを想定した分配器であるが、それに限らず、例えば、壁面に設けられたＴＶ端子から直接分配する分配器も存在する。このとき、前記壁面等に設けられたＴＶ端子は、一般に、メス型の端子であるため、分配器にはオス型の端子が必要になる。そこで、前記筐体１の、前記回転する接栓２が設けられた面の裏面１Ｈに、オス型の接栓１０を設けておけば、図２５に示すように、前記オス型接栓１０を壁面８に埋め込まれたＴＶ端子１１に接続し、そのまま筐体１を壁面８に固定することができる。すなわち、図２４（ａ）及び図２４（ｂ）に示したような分配器を用いることで、前記壁面８に埋め込まれた１つのＴＶ端子１１を３つのＴＶ端子に増やすことができる。またこのとき、前記３つのＴＶ端子は、前記実施例３で説明したように、それぞれ独立して１８０度回転させることができるので、汎用性が高く、かつ、同軸ケーブルの接続も容易である。また、同軸ケーブルの屈曲によるノイズの発生やケーブルの断線を防ぐこともできる。
【００７０】
（実施例４）
図２６乃至図３１は、本発明による実施例４の同軸ケーブル分配器の概略構成を示す模式図であり、図２６（ａ）は分配器の平面図、図２６（ｂ）は図２６（ａ）の正面図、図２６（ｃ）は図２６（ｂ）の右側面図、図２７は分配器の内部構成を示す図、図２８（ａ）は筐体の接栓取り付け部の部分正面図、図２８（ｂ）は図２８（ａ）の左側面図、図２８（ｃ）は図２８（ａ）のＣ−Ｃ’線から見た下面図、図２９（ａ）は接栓固定金具の部分正面図、図２９（ｂ）は図２９（ａ）の左側面図、図２９（ｃ）は図２９（ａ）の裏面図、図３０（ａ）及び図３０（ｂ）ならびに図３１（ａ）及び図３１（ｂ）は接栓の取り付け方法を説明する図である。
【００７１】
本実施例４の同軸ケーブル分配器は、図２６（ａ）、図２６（ｂ）、及び図２６（ｃ）に示すように、金属製の筐体１の表面に、同軸ケーブルを接続するための端子（以下、接栓と称する）２が５個取り付けられている。また、前記接栓２のうちの３つは、前記筐体１の第１の表面１Ａに取り付けられ、残りの２つの接栓２は、前記第１の表面１Ａと接する第２の表面１Ｂ及び第４の表面１Ｉにそれぞれ１つずつ取り付けられている。前記５個の接栓２は、前記実施例１で説明した接栓２と同じ構成であるので、詳細な説明は省略する。
【００７２】
また、前記筐体１は内部に空洞を有し、前記各接栓２の外部コンタクト２０１同士は、図２７に示すように、前記筐体１により電気的に接続されている。このとき、前記筐体１の第１の表面１Ａに取り付けられた接栓２の外部コンタクト２０１と前記筐体１とは、例えば、前記実施例３で説明した接栓固定金具３（３Ｃ）による固定方法と同じであるため、詳細な説明は省略する。
【００７３】
本実施例４の同軸ケーブル分配器の筐体１のうち、前記第２の表面１Ｂの接栓２を取り付ける部分は、図２８（ａ）、図２８（ｂ）、及び図２８（ｃ）に示すように、前記接栓２の外部コンタクトの突起２０１Ｃと対応する底面、すなわち、円形の底面を有する軸受け部１Ｄが設けられている。また、前記接栓２を取り付ける部分には、３方向が開口した窓１Ｅが設けられている。また、前記第２の表面１Ｂは、図２８（ｂ）に示すように、前記接栓２を取り付けやすくするための開口部１Ｊが設けられている。
【００７４】
また、前記筐体１の第２の表面１Ｂに取り付ける接栓２を固定する接栓固定金具３（３Ｄ）は、図２９（ａ）、図２９（ｂ）、及び図２９（ｃ）に示すように、円形の軸受け部３０１Ｄと、前記筐体１に取り付けるためのネジ穴３０２Ｄが設けられている。また、前記接栓固定金具３Ｄの一端には、前記筐体１の開口部１Ｊを塞ぐためのプレート部３０３Ｄが設けられている。
【００７５】
前記接栓固定金具３（３Ｄ）を用いて、前記筐体１の第２の表面１Ｂに接栓２を取り付けるには、図３０（ａ）及び図３０（ｂ）、ならびに図３１（ａ）及び図３１（ｂ）に示すように、前記接栓２の外部コンタクトに設けられた突起２０１Ｃのうち、前記コンタクトピン２０２Ｂが引き出されていないほうの突起を、前記筐体１に設けられた軸受け部１Ｄで受ける。また、前記コンタクトピン２０２Ｂが設けられたほうの突起２０１Ｃは、前記接栓固定金具３（３Ｄ）の軸受け部３０１Ｄで受ける。このとき、前記接栓固定金具の軸受け部３０１Ｄを貫通させておけば、前記コンタクトピント２０２Ｂと前記接栓固定金具３（３Ｄ）が接触することはない。この状態で前記ネジ穴３０２Ｄを利用して、前記接栓固定金具３（３Ｄ）を前記筐体１に固定すれば、前記外部コンタクトに設けられた突起２０１Ｃを回転軸として前記接栓２を回転させることができる。このとき、図３０（ａ）に示したように、前記筐体１の窓１Ｅを、３方向が開口するように設けておけば、前記接栓２を１８０度回転させることができる。またこのとき、前記筐体１に開口部１Ｊを設けることにより、前記接栓２の取り付けが容易になるが、そのままだと、前記開口部１Ｊから電場（磁場）が漏れる。そこで、図２９（ａ）、図２９（ｂ）、及び図２９（ｃ）に示したように、前記接栓固定金具３Ｄにプレート部３０３Ｄを設け、前記プレート部３０３Ｄで前記筐体１の開口部１Ｊを塞ぐことにより、電場（磁場）の漏れを防ぐことができる。
【００７６】
また、前記筐体１の第４の表面１Ｉに接栓２を取り付けるときは、前記第２の表面１Ｂに取り付けるときと同じ方法でよいので、詳細な説明は省略する。
【００７７】
また、前記筐体１は、図２７に示すように、内部に空洞が設けられており、前記空洞には、前記各接栓の中心コンタクト（コンタクトピン）同士を電気的に接続するためのプリント配線板が設けられている。このとき、前記筐体１は、一方向の面が開口しており、前記開口した面からプリント配線板４を挿入し、前記コンタクトピン２０２Ｂと前記プリント配線板４の導体パターンをはんだ付けした後、前記開口した面に裏蓋５をはめ込む。
【００７８】
図３２は、本実施例４の同軸ケーブル分配器の作用効果を説明するための模式図であり、図３２（ａ）は筐体の第１の表面に取り付けられた接栓の動作を説明する模式図、図３２（ｂ）は筐体の第２の表面に取り付けられた接栓の動作を説明する図である。
【００７９】
本実施例４の同軸ケーブル分配器のうち、前記筐体１の第１の表面１Ａに取り付けた接栓２は、例えば、前記実施例３で説明した接栓２と同じで、図３２（ａ）に示すように、前記突起２０１Ｃを支点として１８０度回転させることができる。また、前記第２の表面１Ｂ及び第３の表面１Ｉに取り付けられた接栓２も、図３２（ｂ）に示したように、前記突起２０１Ｃを支点として１８０度回転させることができる。そのため、前記各接栓２に接続した同軸ケーブルの引き出し方向の自由度が高くなる。また、前記各接栓２に同軸ケーブルを接続するときの作業性もよい。
【００８０】
以上説明したように、本実施例４の同軸ケーブル分配器によれば、前記筐体１に取り付けた前記接栓２を回転させることができるので、同軸ケーブルの引き出し方向の自由度が高くなる。そのため、従来の分配器に比べて汎用性が高くなる。
【００８１】
また、前記接栓２を回転させることができるので、壁面等の分配器を取り付ける面と前記接栓２の距離が近い場合や、複数個の接栓２が列状に並んでおり、かつ、接栓同士の間隔が狭い場合でも、前記接栓２に同軸ケーブルを接続するときの作業性がよい。
【００８２】
また、前記接栓２が回転するので、前記接栓２に接続した同軸ケーブルの屈曲を最小限にすることができる。そのため、同軸ケーブルの屈曲によるノイズの発生や、ケーブルの断線を防ぐことができる。
【００８３】
（実施例５）
図３３乃至図３７は、本発明による実施例５の同軸ケーブル分配器の概略構成を示す模式図であり、図３３（ａ）は分配器の平面図、図３３（ｂ）は図３３（ａ）の正面図、図３３（ｃ）は分配器の内部構成を示す図、図３４（ａ）は筐体の接栓取り付け部の部分正面図、図３４（ｂ）は図３４（ａ）の左側面図、図３４（ｃ）は図３４（ａ）のＤ−Ｄ’線から見た下面図、図３５（ａ）は接栓固定金具の部分正面図、図３５（ｂ）は図３５（ａ）の左側面図、図３５（ｃ）は図３５（ａ）の裏面図、図３６（ａ）及び図３６（ｂ）ならびに図３７（ａ）及び図３７（ｂ）は接栓の取り付け方法を説明する図である。
【００８４】
本実施例５の同軸ケーブル分配器は、図３３（ａ）及び図３３（ｂ）に示すように、金属製の筐体１の表面に、同軸ケーブルを接続するための端子（以下、接栓と称する）２が３個取り付けられている。このとき、前記接栓の２つは、前記筐体１の第１の表面１Ａに取り付けられており、残りの１つの接栓は、前記第１の表面１Ａの裏面１Ｈに取り付けられている。また、前記第１の表面１Ａに取り付けられた２つの接栓２は、前記実施例１で説明した接栓２と同じ構成であるので、詳細な説明は省略する。また、前記第１の表面の裏面１Ｈに取り付けられた接栓２’は、従来の接栓と同じ方法で前記筐体に取り付けられているので、詳細な説明は省略する。
【００８５】
また、前記筐体１は内部に空洞を有し、前記各接栓２の外部コンタクト２０１同士は、図３３（ｃ）に示すように、前記筐体１により電気的に接続されている。
【００８６】
本実施例５の同軸ケーブル分配器の筐体１のうち、前記第１の表面１Ａの接栓２を取り付ける部分は、図３４（ａ）、図３４（ｂ）、及び図３４（ｃ）に示すように、前記接栓２の外部コンタクトの突起２０１Ｃと対応する底面、すなわち、円形の底面を有する軸受け部１Ｄが設けられている。また、前記接栓２を取り付ける部分には、３方向が開口した窓１Ｅが設けられている。また、前記第１の表面１Ａは、図３４（ｂ）に示すように、前記接栓２を取り付けやすくするための開口部１Ｊが設けられている。
【００８７】
また、前記筐体１の第１の表面１Ａに取り付ける接栓２を固定する接栓固定金具３（３Ｄ）は、図３５（ａ）、図３５（ｂ）、及び図３５（ｃ）に示すように、円形の軸受け部３０１Ｄと、前記筐体１に取り付けるためのネジ穴３０２Ｄが設けられている。また、前記接栓固定金具３Ｄの一端には、前記筐体１の開口部１Ｊを塞ぐためのプレート部３０３Ｄが設けられている。
【００８８】
前記接栓固定金具３（３Ｄ）を用いて、前記筐体１の第２の表面１Ｂに接栓２を取り付けるには、図３６（ａ）及び図３６（ｂ）、ならびに図３７（ａ）及び図３７（ｂ）に示すように、前記接栓２の外部コンタクトに設けられた突起２０１Ｃのうち、前記コンタクトピン２０２Ｂが引き出されていないほうの突起を、前記筐体１に設けられた軸受け部１Ｄで受ける。また、前記コンタクトピン２０２Ｂが設けられたほうの突起２０１Ｃは、前記接栓固定金具３（３Ｄ）の軸受け部３０１Ｄで受ける。このとき、前記接栓固定金具の軸受け部３０１Ｄを貫通させておけば、前記コンタクトピント２０２Ｂと前記接栓固定金具３（３Ｄ）が接触することはない。この状態で前記ネジ穴３０２Ｄを利用して、前記接栓固定金具３（３Ｄ）を前記筐体１に固定すれば、前記外部コンタクトに設けられた突起２０１Ｃを回転軸として前記接栓２を回転させることができる。このとき、図３６（ａ）に示したように、前記筐体１の窓１Ｅを、２方向が開口するように設けておけば、前記接栓２を９０度回転させることができる。またこのとき、前記筐体１に開口部１Ｊを設けることにより、前記接栓２の取り付けが容易になるが、そのままだと、前記開口部１Ｊから電場（磁場）が漏れる。そこで、図３５（ａ）、図３５（ｂ）、及び図３５（ｃ）に示したように、前記接栓固定金具３Ｄにプレート部３０３Ｄを設け、前記プレート部３０３Ｄで前記筐体１の開口部１Ｊを塞ぐことにより、電場（磁場）の漏れを防ぐことができる。
【００８９】
また、前記筐体１は、図３３（ｃ）に示したように、内部に空洞が設けられており、前記空洞には、前記各接栓の中心コンタクト（コンタクトピン）同士を電気的に接続するためのプリント配線板４が設けられている。このとき、前記筐体１は、一方向の面が開口しており、前記開口した面からプリント配線板４を挿入し、前記コンタクトピン２０２Ｂと前記プリント配線板４の導体パターンをはんだ付けした後、前記開口した面に裏蓋５をはめ込む。
【００９０】
図３８は、本実施例５の同軸ケーブル分配器の作用効果を説明するための模式図である。
【００９１】
本実施例５の同軸ケーブル分配器は、図３８に示すように、前記筐体１の第１の表面１Ａに取り付けた接栓２を、それぞれ９０度させることができる。そのため、前記２つの接栓２に接続した同軸ケーブルを平行に引き出す、または直交するように引き出す、あるいは反対方向に引き出すといったことができる。また、前記回転する接栓２は、電気的な接続を保ちながら回転させることができるので、前記第１の表面１Ａに取り付けた接栓２の突出方向と平行あるいは垂直な向きだけでなく、０度から９０度の範囲内で、自由な角度にすることができる。
【００９２】
また、前記筐体１の第１の表面１Ａに設けられた各接栓２に接続した同軸ケーブルを平行に引き出す場合、従来のように前記接栓が固定されていると、前記各接栓２の間隔が狭いときには、同軸ケーブルを接続するときの作業性が悪い。一方、本実施例５の同軸ケーブル分配器の場合、前記同軸ケーブルを接続するときだけ、前記接栓２の向きを変えることができるので、前記同軸ケーブルを接続するときの作業性がよい。
【００９３】
以上説明したように、本実施例５の同軸ケーブル分配器によれば、前記筐体１に取り付けた前記接栓２を回転させることができるので、同軸ケーブルの引き出し方向の自由度が高くなる。そのため、従来の分配器に比べて汎用性が高くなる。
【００９４】
また、前記接栓２を回転させることができるので、壁面等の分配器を取り付ける面と前記接栓２の距離が近い場合や、接栓同士の間隔が狭い場合でも、前記接栓２に同軸ケーブルを接続するときの作業性がよい。
【００９５】
また、前記接栓２が回転するので、前記接栓２に接続した同軸ケーブルの屈曲を最小限にすることができる。そのため、同軸ケーブルの屈曲によるノイズの発生や、ケーブルの断線を防ぐことができる。
【００９６】
以上、本発明を、前記実施例に基づき具体的に説明したが、本発明は、前記実施例に限定されるものではなく、その要旨を逸脱しない範囲において、種々変更可能であることはもちろんである。
【００９７】
例えば、前記各実施例では、同軸ケーブル分配器を例に挙げて説明したが、これに限らず、前記分配器と同様の構成である分岐器に、本発明を適用してもよい。前記分岐器の場合も、取り付ける接栓として、前記実施例１で説明した接栓を用い、前記筐体の軸受け部及び接栓固定金具の軸受け部で外部コンタクトの突起を受けるようにすれば、前記分岐器の接栓も回転させることができ、前記分配器と同様の効果を得ることができる。
【００９８】
【発明の効果】
本願において開示される発明のうち、代表的なものによって得られる効果を簡単に説明すれば、以下の通りである。
（１）同軸ケーブル分配器や分岐器の汎用性を高くすることができる。
（２）分配器や分岐器の接栓に同軸ケーブルを接続するときの作業性を向上させることができる。
（３）分配器や分岐器に接続した同軸ケーブルの極端な屈曲によるノイズや、同軸ケーブルの断線を防ぐことができる。
【図面の簡単な説明】
【図１】本発明による実施例１の同軸ケーブル分配器の概略構成を示す模式図であり、図１（ａ）は分配器の平面図、図１（ｂ）は図１（ａ）の正面図、図１（ｃ）は図１（ｂ）の左側面図である。
【図２】本実施例１の同軸ケーブル分配器の概略構成を示す模式図であり、図２（ａ）は接栓の概略構成を示す正面図、図２（ｂ）は図２（ａ）の上面図、図２（ｃ）は接栓の内部構造を示す図で図２（ａ）のＡ−Ａ’線から見た図、図２（ｄ）は接栓の内部構造を示す模式図で図２（ｂ）のＢ−Ｂ’線から見た図である。
【図３】本実施例１の同軸ケーブル分配器の概略構成を示す模式図であり、分配器の内部構造を示す正面図である。
【図４】本実施例１の同軸ケーブル分配器の概略構成を示す模式図であり、分配器の内部構造を示す左側面図である。
【図５】本実施例１の同軸ケーブル分配器の概略構成を示す模式図であり、筐体の構成を示す正面図である。
【図６】本実施例１の同軸ケーブル分配器の概略構成を示す模式図であり、図５の下面図である。
【図７】本実施例１の同軸ケーブル分配器の概略構成を示す模式図であり、図７（ａ）は第１接栓固定金具の構成を示す上面図、図７（ｂ）は図７（ａ）の正面図、図７（ｃ）は図７（ｂ）の右側面図である。
【図８】本実施例１の同軸ケーブル分配器の概略構成を示す模式図であり、図８（ａ）及び図８（ｂ）は第１接栓固定金具を用いた接栓の取り付け方法を説明するである。
【図９】本実施例１の同軸ケーブル分配器の概略構成を示す模式図であり、図９（ａ）及び図９（ｂ）は第１接栓固定金具を用いた接栓の取り付け方法を説明するである。
【図１０】本実施例１の同軸ケーブル分配器の概略構成を示す模式図であり、図１０（ａ）は第２接栓固定金具の構成を示す上面図、図１０（ｂ）は図１０（ａ）の正面図、図１０（ｃ）は図１０（ｂ）の右側面図である。
【図１１】本実施例１の同軸ケーブル分配器の概略構成を示す模式図であり、図１１（ａ）及び図１１（ｂ）は第２接栓固定金具を用いた接栓の取り付け方法を説明するである。
【図１２】本実施例１の同軸ケーブル分配器の概略構成を示す模式図であり、図１２（ａ）及び図１２（ｂ）は第２接栓固定金具を用いた接栓の取り付け方法を説明するである。
【図１３】本実施例１の同軸ケーブル分配器の作用効果を説明するための模式図であり、図１３（ａ）及び図１３（ｂ）は接栓の回転範囲を説明するための図である。
【図１４】本実施例１の同軸ケーブル分配器の作用効果を説明するための模式図であり、図１４（ａ）は使用方法の一例を説明するための図、図１４（ｂ）は図１４（ａ）の上面図である。
【図１５】本実施例１の同軸ケーブル分配器の作用効果を説明するための模式図であって、図１５（ａ）、図１５（ｂ）、及び図１５（ｃ）は使用方法の他の例を説明するための図である。
【図１６】本実施例１の同軸ケーブル分配器の作用効果を説明するための模式図であり、図１６（ａ）は使用方法の他の例を説明するための図、図１６（ｂ）は図１６（ａ）の分配器の右側面図である。
【図１７】本発明による実施例２の同軸ケーブル分配器の概略構成を示す模式図であり、図１７（ａ）は分配器の平面図、図１７（ｂ）は図１７（ａ）の正面図である。
【図１８】本実施例２の同軸ケーブル分配器の使用方法を説明するための模式図であり、図１８（ａ）及び図１８（ｂ）は第１の使用例を説明するための図である。
【図１９】本実施例２の同軸ケーブル分配器の使用方法を説明するための模式図であり、図１９（ａ）及び図１９（ｂ）は第２の使用例を説明するための図である。
【図２０】本実施例２の同軸ケーブル分配器の使用方法を説明するための模式図であり、図２０（ａ）及び図２０（ｂ）は第３の使用例を説明するための図である。
【図２１】本発明による実施例３の同軸ケーブル分配器の概略構成を示す模式図であり、図２１（ａ）は分配器の平面図、図２１（ｂ）は図２１（ａ）の正面図、図２１（ｃ）は図２１（ｂ）の左側面図、図２１（ｄ）は図２１（ｂ）の右側面図である。
【図２２】本実施例３の同軸ケーブル分配器の概略構成を示す模式図であり、図２２（ａ）は分配器の内部構成を示す図、図２２（ｂ）は接栓固定金具の構成を示す図である。
【図２３】本実施例３の同軸ケーブル分配器の作用効果を説明するための模式図である。
【図２４】前記実施例３の同軸ケーブル分配器の応用例を説明するための模式図であり、図２４（ａ）は分配器の例を示す正面図、図２４（ｂ）は図２４（ａ）の右側面図である。
【図２５】前記実施例３の同軸ケーブル分配器の応用例を説明するための模式図であり、使用例を示す図である。
【図２６】本発明による実施例４の同軸ケーブル分配器の概略構成を示す模式図であり、図２６（ａ）は分配器の平面図、図２６（ｂ）は図２６（ａ）の正面図、図２６（ｃ）は図２６（ｂ）の右側面図である。
【図２７】本実施例４の同軸ケーブル分配器の概略構成を示す模式図であり、分配器の内部構成を示す図である。
【図２８】本実施例４の同軸ケーブル分配器の概略構成を示す模式図であり、図２８（ａ）は筐体の接栓取り付け部の部分正面図、図２８（ｂ）は図２８（ａ）の左側面図、図２８（ｃ）は図２８（ａ）のＣ−Ｃ’線から見た下面図である。
【図２９】本実施例４の同軸ケーブル分配器の概略構成を示す模式図であり、図２９（ａ）は接栓固定金具の部分正面図、図２９（ｂ）は図２９（ａ）の左側面図、図２９（ｃ）は図２９（ａ）の裏面図である。
【図３０】本実施例４の同軸ケーブル分配器の概略構成を示す模式図であり、図３０（ａ）及び図３０（ｂ）は接栓の取り付け方法を説明する図である。
【図３１】本実施例４の同軸ケーブル分配器の概略構成を示す模式図であり、図３１（ａ）及び図３１（ｂ）は接栓の取り付け方法を説明する図である。
【図３２】本実施例４の同軸ケーブル分配器の作用効果を説明するための模式図であり、図３２（ａ）は筐体の第１の表面に取り付けられた接栓の動作を説明する模式図、図３２（ｂ）は筐体の第２の表面に取り付けられた接栓の動作を説明する図である。
【図３３】本発明による実施例５の同軸ケーブル分配器の概略構成を示す模式図であり、図３３（ａ）は分配器の平面図、図３３（ｂ）は図３３（ａ）の正面図、図３３（ｃ）は分配器の内部構成を示す図である。
【図３４】本実施例５の同軸ケーブル分配器の概略構成を示す模式図であり、図３４（ａ）は筐体の接栓取り付け部の部分正面図、図３４（ｂ）は図３４（ａ）の左側面図、図３４（ｃ）は図３４（ａ）のＤ−Ｄ’線から見た下面図である。
【図３５】本実施例５の同軸ケーブル分配器の概略構成を示す模式図であり、図３５（ａ）は接栓固定金具の部分正面図、図３５（ｂ）は図３５（ａ）の左側面図、図３５（ｃ）は図３５（ａ）の裏面図である。
【図３６】本実施例５の同軸ケーブル分配器の概略構成を示す模式図であり、図３６（ａ）及び図３６（ｂ）は接栓の取り付け方法を説明する図である。
【図３７】本実施例５の同軸ケーブル分配器の概略構成を示す模式図であり、図３７（ａ）及び図３７（ｂ）は接栓の取り付け方法を説明する図である。
【図３８】本実施例５の同軸ケーブル分配器の作用効果を説明するための模式図である。
【符号の説明】
１…筐体、１Ａ…筐体の第１の表面、１Ｂ…筐体の第２の表面、１Ｃ…筐体の段差部、１Ｄ…筐体の軸受け部、１Ｅ…筐体の窓、１Ｆ…筐体の溝、１Ｇ…筐体の第３の表面、１Ｈ…第１の表面の裏面、２…同軸ケーブル接続端子（接栓）、２０１…外部コンタクト、２０１Ａ…接続部、２０１Ｂ…回転支点部、２０１Ｃ…突起、２０２Ａ…中心コンタクト、２０２Ｂ…コンタクトピン、２０３Ａ…第１ブッシュ、２０３Ｂ…第２ブッシュ、２０４Ａ…第１スペーサー、２０４Ｂ…第２スペーサー、３，３Ｃ，３Ｄ…接栓固定金具、３Ａ…第１接栓固定金具、３０１Ａ…軸受け部、３０２Ａ…突起、３０３Ａ…ネジ止め部、３Ｂ…第２接栓固定金具、３０１Ｂ…軸受け部、３０２Ｂ…ネジ止め部、３０３Ｂ…コンタクトピンを通す開口部、４…プリント配線板、５…裏蓋、６…分配器を設置する面、７…同軸ケーブル、８，８Ａ，８Ｂ…壁面、９…天井、１０…オス型接栓、１１…ＴＶ端子。
【図１】
2004247228.tif 000003
【図２】
2004247228.tif 000004
【図３】
2004247228.tif 000005
【図４】
2004247228.tif 000006
【図５】
2004247228.tif 000007
【図６】
2004247228.tif 000008
【図７】
2004247228.tif 000009
【図８】
2004247228.tif 000010
【図９】
2004247228.tif 000011
【図１０】
2004247228.tif 000012
【図１１】
2004247228.tif 000013
【図１２】
2004247228.tif 000014
【図１３】
2004247228.tif 000015
【図１４】
2004247228.tif 000016
【図１５】
2004247228.tif 000017
【図１６】
2004247228.tif 000018
【図１７】
2004247228.tif 000019
【図１８】
2004247228.tif 000020
【図１９】
2004247228.tif 000021
【図２０】
2004247228.tif 000022
【図２１】
2004247228.tif 000023
【図２２】
2004247228.tif 000024
【図２３】
2004247228.tif 000025
【図２４】
2004247228.tif 000026
【図２５】
2004247228.tif 000027
【図２６】
2004247228.tif 000028
【図２７】
2004247228.tif 000029
【図２８】
2004247228.tif 000030
【図２９】
2004247228.tif 000031
【図３０】
2004247228.tif 000032
【図３１】
2004247228.tif 000033
【図３２】
2004247228.tif 000034
【図３３】
2004247228.tif 000035
【図３４】
2004247228.tif 000036
【図３５】
2004247228.tif 000037
【図３６】
2004247228.tif 000038
【図３７】
2004247228.tif 000039
【図３８】
2004247228.tif 000040